(57)【特許請求の範囲】
【請求項１】
電子装置のタッチパネルに対して入力操作を行うための多機能指サックであって、
前記多機能指サックは、主体部と、前記主体部の外面に設けられたタッチエリアと、スピーカーと、マイクロスキャナーと、マイクロプロセッサと、を備え、
前記スピーカー及び前記マイクロプロセッサは、それぞれ前記マイクロスキャナーに電気的に接続され、前記マイクロスキャナーは、前記タッチパネルからスキャンした文字情報をデジタル信号に変換して前記マイクロプロセッサに伝送し、前記マイクロプロセッサは、前記デジタル信号をオーディオ信号に変換して、前記スピーカーにより前記オーディオ信号を再生することを特徴とする多機能指サック。
【請求項２】
前記多機能指サックは、伝送モジュール及び電源モジュールをさらに備え、前記マイクロプロセッサ及び前記マイクロスキャナーは、全て前記電源モジュールに電気的に接続され、前記伝送モジュールは、それぞれ前記マイクロプロセッサ及び前記マイクロスキャナーに電気的に接続されていることを特徴とする請求項１に記載の多機能指サック。
【請求項３】
前記マイクロスキャナー及び前記スピーカーは、前記主体部に装着され、且つ前記主体部から露出していることを特徴とする請求項２に記載の多機能指サック。
【請求項４】
前記主体部は、弾性材料からなり、且つ開口部が設けられていることを特徴とする請求項１に記載の多機能指サック。
【請求項５】
前記タッチエリアは、前記主体部の表面から突出し、且つフレキシブル導電材料からなることを特徴とする請求項１に記載の多機能指サック。
【発明の詳細な説明】
【技術分野】
【０００１】
本発明は、多機能の指サックに関するものである。
【背景技術】
【０００２】
近年、タッチパネルを備えた携帯電話機又はタブレットＰＣが消費者に好まれている。しかし、電子装置のタッチパネルを長時間又は頻繁にタッチした場合、手が疲れ易く、また、指に付いた汗、指紋等がタッチパネルにつくため、タッチパネルが汚れ易い。従って、ユーザは、指サックをはめてタッチパネルを操作することが好ましい。しかし、従来の指サックは、タッチパネルに対して入力操作しかできない。
【発明の概要】
【発明が解決しようとする課題】
【０００３】
以上の問題点に鑑みて、本発明は、タッチパネル向けの多機能指サックを提供することを目的とする。
【課題を解決するための手段】
【０００４】
上記の課題を解決するために、本発明に係る多機能指サックは、電子装置のタッチパネルに対して入力操作を行うことに用いられ、多機能指サックは、主体部と、主体部の外面に設けられたタッチエリアと、スピーカーと、マイクロスキャナーと、マイクロプロセッサと、を備え、スピーカー及びマイクロプロセッサは、それぞれマイクロスキャナーに電気的に接続され、マイクロスキャナーは、タッチパネルからスキャンした文字情報をデジタル信号に変換してマイクロプロセッサに伝送し、マイクロプロセッサは、デジタル信号をオーディオ信号に変換して、スピーカーによりオーディオ信号を再生する。
【発明の効果】
【０００５】
従来の技術と異なり、本発明の多機能指サックは、マイクロスキャナー、データ処理装置及びスピーカーを備え、マイクロスキャナーは、電子装置の表示パネルから読み取った文字情報をオーディオ信号に変換して、スピーカーによりオーディオ信号を再生することができる。従って、ユーザは、スピーカーを介して電子装置の表示パネルが表示した内容を聞き取ることができるため、視力の悪い人に対して電子装置の表示内容の閲読を助けることができる。
【図面の簡単な説明】
【０００６】
【図１】本発明の実施形態に係る多機能指サックの斜視図である。
【図２】図１に示した多機能指サックの使用状態を示す図である。
【図３】図１に示した多機能指サックの閲読機能のブロックである。
【発明を実施するための形態】
【０００７】
図１〜図３に示したように、本発明の多機能指サック１０は、ユーザがタッチパネルを操作する時に、指にはめて指を保護すると共に、タッチパネルを指からの汗及び指紋等から保護する。また、本発明の多機能指サック１０は、表示パネル１００により表示された内容を、オーディオによって再生することができる。
【０００８】
具体的には、多機能指サック１０は、主体部１１と、タッチエリア１３と、スピーカー１５と、マイクロスキャナー１９と、データ処理装置２１と、を備える。また、多機能指サック１０は、マイクロスキャナー１９によって、電子装置の表示パネル１００により表示された文字をスキャンして、データ処理装置２１を介して情報をスピーカー１５に伝送して、文字内容を読み出す。
【０００９】
図２に示すように、本実施形態において、主体部１１は、弾性材料からなるスリーブ状を呈しており、且つ開口部１２を備える。使用する時は、指を開口部１２から多機能指サック１０内に挿入して指にはめる。多機能指サック１０における開口部１２に近い箇所には、貫通孔１１１が設けられている。これにより、ユーザは、貫通孔１１１にストラップをつけるなどして、多機能指サック１０を容易に携帯することができる。尚、多機能指サック１０の外観に色彩を施して、多機能指サック１０を携帯電話機の装飾品として使用することもできる。
【００１０】
タッチエリア１３は、主体部１１の外面に設けられ、且つ主体部１１から突出している。これにより、ユーザは、表示パネル１００に対してタッチ入力操作を行う際に、正確に電子装置のタッチパネルに接触することができる。タッチエリア１３は、導電ゴム又は導電布等のフレキシブル導電材料からなる。
【００１１】
スピーカー１５及びマイクロスキャナー１９は、主体部１１に設けられ、且つ主体部１１の外面から露出している。マイクロスキャナー１９は、表示パネル１００により表示された文字をスキャンし、且つ文字情報をデジタル信号に変換する。
【００１２】
図３に示すように、データ処理装置２１は、主体部１１内に装着され、且つマイクロプロセッサ２１１、伝送モジュール２１２及び電源モジュール２１３を備える。伝送モジュール２１２は、マイクロプロセッサ２１１及びスピーカー１５に電気的に接続されている。マイクロスキャナー１９は、マイクロプロセッサ２１１及び電源モジュール２１３に電気的に接続されている。電源モジュール２１３は、マイクロスキャナー１９に給電することに用いられる。本実施形態において、マイクロスキャナー１９及びタッチエリア１３は、主体部１１における対向する両側にそれぞれ位置する。
【００１３】
多機能指サック１０を使用する場合、ユーザは、開口部１２から指を多機能指サック１０内に挿入して、多機能指サック１０を指にはめる。多機能指サック１０を指にはめた後、ユーザは、タッチエリア１３を携帯電話機等の電子装置のタッチ式表示パネル１００に接触させることによって、電子装置に対して入力操作を行うことができる。また、ユーザは、指にはめたまま多機能指サック１０を回転調整して、マイクロスキャナー１９を指において操作し易い位置にセットした後、マイクロスキャナー１９によって、表示パネル１００が表示した文字をスキャンして文字情報を読み取った後、前記文字情報をデジタル信号に変換して、マイクロプロセッサ２１１に伝送する。マイクロプロセッサ２１１は、受信したデジタル信号をオーディオ信号に変換した後、伝送モジュール２１２を介してこのオーディオ信号をスピーカー１５に伝送する。これにより、ユーザは、スピーカー１５を介して、表示パネル１００が表示した内容を聞き取ることができる。つまり、視力が悪い人に対して、電子装置が表示する内容の閲読を助けることができる。
【００１４】
本発明の変形例として、マイクロスキャナー１９をタッチエリア１３の隣に設けても良い。この場合、ユーザは、多機能指サック１０のタッチエリア１３によって表示パネル１００に接触することで、電子装置に対して入力できる。また、ユーザは、指先の表示パネル１００に対する角度をやや変えて、指先と表示パネル１００との接触面積を変えると、マイクロスキャナー１９は、表示パネル１００の文字情報を読み取った後、スピーカー１５を介して再生することができる。
【００１５】
上記の記載から分かるように、本発明の多機能指サック１０は、スピーカー１５、マイクロスキャナー１９及びデータ処理装置２１を備え、マイクロスキャナー１９が電子装置の表示パネル１００から読み取った文字情報をオーディオ信号に変換して、スピーカー１５により前記オーディオ信号を再生することができる。これにより、ユーザは、スピーカー１５を介して表示パネル１００が表示した内容を聞こえることができ、視力の悪い人に対して、電子装置の表示内容の閲読を助ける。
【符号の説明】
【００１６】
１０  多機能指サック
１００  表示パネル
１１  主体部
１１１  貫通孔
１２  開口部
１３  タッチエリア
１５  スピーカー
１９  マイクロスキャナー
２１  データ処理装置
２１１  マイクロプロセッサ
２１２  伝送モジュール
２１３  電源モジュール
【図１】
0005855197.tif 000002
【図２】
0005855197.tif 000003
【図３】
0005855197.tif 000004